(57)【要約】【課題】  小型化した場合でも、効率的な量産性を阻害することなく、光ヘッドの共振を抑制する。【解決手段】  開示される光ヘッド１は、対物レンズ１２を駆動する対物レンズ駆動装置２と、対物レンズ駆動装置２を支持するハウジング３と、対物レンズ駆動装置２がハウジング３に支持された状態において、対物レンズ１２及び対物レンズ１２近傍に位置するヨーク１４を露出させるための開口部４ａが形成されたカバー４とを有している。カバー４は、ハウジング３と接合されているとともに、ヨーク１４と接合されている。【選択図】  図１
2007250050.tif 000002
【特許請求の範囲】
【請求項１】
対物レンズを駆動する対物レンズ駆動装置と、
前記対物レンズ駆動装置を支持するハウジングと、
前記対物レンズ駆動装置が前記ハウジングに支持された状態において、前記対物レンズ及び前記対物レンズ近傍に位置する前記対物レンズ駆動装置の構成部品を露出させるための開口部が形成されたカバーとを有し、
前記カバーは、前記ハウジングと接合されているとともに、前記対物レンズ駆動装置の前記構成部品と接合されている
ことを特徴とする光ヘッド。
【請求項２】
前記カバーは、前記開口部のうち、前記対物レンズ駆動装置の前記構成部品に対向する箇所に、前記対物レンズ駆動装置の前記構成部品に近接して接合部が一体に形成され、前記接合部の端部には、前記対物レンズ駆動装置の前記構成部品との接着剤による接着の強度を高めるための加工が施されていることを特徴とする請求項１記載の光ヘッド。
【請求項３】
請求項１又は２記載の光ヘッドを備えることを特徴とする光記録再生装置。
【発明の詳細な説明】
【技術分野】
【０００１】
本発明は、光ディスク等の光記録媒体にデータの記録又は再生を行う光ヘッド及びこの光ヘッドを備えた光記録再生装置に関する。
【背景技術】
【０００２】
従来の光ヘッドは、対物レンズを保持し、トラッキング方向及びフォーカシング方向に移動可能なレンズホルダと、このレンズホルダに止着した駆動コイルと、この駆動コイルに対向して配置した駆動マグネットと、上記駆動コイルを挟んで駆動マグネットの反対側に対向して配置した内ヨークとからなる対物レンズのアクチュエータとを備えている。この光ヘッドでは、内ヨークの共振を強制的に阻止するために、アクチュエータに設けられたカバーに穿設されたホゾ孔に内ヨークの脚部の自由端に形成されたホゾを圧入している（例えば、特許文献１参照。）。以下、この技術を第１の従来例と呼ぶ。
【０００３】
また、従来の光ヘッドには、対物レンズが固定され、かつ外側にコイルが固定されたホルダと、コイルを介して相対向するように２組の内ヨークと外ヨークとが設置され、かつ上記ホルダが変位可能に支持されたベース体と、上記外ヨークに固定された永久磁石と、上記コイルに磁界を作用させるために通電する通電手段とを備えた対物レンズ駆動装置を有するものがある。この対物レンズ駆動装置では、２組の内ヨークと外ヨークとの上端部をつなぎ、かつ対物レンズに対応する部分に開口部が形成された磁性体からなるカバーによって少なくともホルダ周部を被覆している。上記カバーは、上記内ヨークと上記外ヨークとを接触する部分が磁性材で形成され、他の部分が樹脂材で形成されており、磁性材と樹脂材とは接着剤で接合されている（例えば、特許文献２参照。）。以下、この技術を第２の従来例と呼ぶ。
【０００４】
さらに、従来の光ヘッドを構成するアクチュエータは、ベースの端部に垂直に突設された一対のヨークと、この一対のヨーク間に配設され、一方のヨーク内面に固定されたマグネットと、上記一対のヨークを上部から覆い、ベースの外周縁部に嵌着される保護カバーと、保護カバーの上部内面に固着され、一対のヨークの開放端全面を覆う磁性体からなる補助ベースとを備えている。この補助ベースは、合成樹脂製で、箱型をした保護カバーの内側に固定されており、この保護カバーをベースに施すことにより、補助ベースが上記一対のヨーク、マグネット、エアギャップを覆うようになっている（例えば、特許文献３参照。）。以下、この技術を第３の従来例と呼ぶ。
【０００５】
【特許文献１】特開２００５−４８８４号公報（特許請求の範囲，［００１８］〜［００２６］，要約書、図３）
【特許文献２】特開平６−３０１９９３号公報（請求項１，請求項３，［０００３］〜［０００７］，［００２２］〜［００２７］、図１，図４）
【特許文献３】実公平５−３１６９２号公報（請求項１，第３欄第２８行目〜第４欄第９行目、第１図）
【発明の開示】
【発明が解決しようとする課題】
【０００６】
上記した第１の従来例では、アクチュエータに設けられたカバーに穿設されたホゾ孔に内ヨークの脚部の自由端に形成されたホゾを圧入している。しかし、光ヘッドが小型化すればするほど、磁性材料等からなる内ヨークの脚部の自由端に形成すべきホゾの形状も小型化するため、高い加工精度が要求されるとともに、光ヘッドを組み立てる際の精度も要求されるため、効率的な量産性を阻害するという問題があった。また、上記した第１の従来例では、内ヨークの共振は抑制できたとしても、光ヘッド全体の共振は抑制できないという問題があった。
【０００７】
また、上記した第２の従来例では、上記カバーを構成する磁性材と樹脂材とは接着剤で接合されている。しかし、上記カバーは、上記外ヨークに固定された永久磁石の磁力によって吸着されることによりベース体に固定されているだけであって、上記内ヨーク及び上記外ヨークと一体化されていないので、上記内ヨークの共振はもちろん、光ヘッド全体の共振も抑制できないという問題があった。
【０００８】
同様に、上記した第３の従来例においても、上記一対のヨークと、上部内面に補助ベースが固着された保護カバーとは一体化されていないので、上記一対のヨークの共振はもちろん、光ヘッド全体の共振も抑制できないという問題があった。
本発明は、上述した事情に鑑みてなされたものであり、上述のような課題を解決することができる光ヘッド及び光記録再生装置を提供することを目的としている。
【課題を解決するための手段】
【０００９】
上記課題を解決するために、請求項１記載の発明に係る光ヘッドは、対物レンズを駆動する対物レンズ駆動装置と、前記対物レンズ駆動装置を支持するハウジングと、前記対物レンズ駆動装置が前記ハウジングに支持された状態において、前記対物レンズ及び前記対物レンズ近傍に位置する前記対物レンズ駆動装置の構成部品を露出させるための開口部が形成されたカバーとを有し、前記カバーは、前記ハウジングと接合されているとともに、前記対物レンズ駆動装置の前記構成部品と接合されていることを特徴としている。
【００１０】
また、請求項２記載の発明は、請求項１記載の光ヘッドに係り、前記カバーは、前記開口部のうち、前記対物レンズ駆動装置の前記構成部品に対向する箇所に、前記対物レンズ駆動装置の前記構成部品に近接して接合部が一体に形成され、前記接合部の端部には、前記対物レンズ駆動装置の前記構成部品との接着剤による接着の強度を高めるための加工が施されていることを特徴としている。
【００１１】
また、請求項３記載の発明に係る光記録再生装置は、請求項１又は２記載の光ヘッドを備えることを特徴としている。
【発明の効果】
【００１２】
本発明によれば、請求項１記載の発明に係る光ヘッドを、対物レンズを駆動する対物レンズ駆動装置と、対物レンズ駆動装置を支持するハウジングと、対物レンズ駆動装置がハウジングに支持された状態において、対物レンズ及び対物レンズ近傍に位置する対物レンズ駆動装置の構成部品を露出させるための開口部が形成されたカバーとで構成し、上記カバーを、上記ハウジングと接合させるとともに、対物レンズ駆動装置の構成部品と接合させることによって、光ヘッドを小型化した場合でも、効率的な量産性を阻害することなく、光ヘッドの共振を抑制することができる。
【００１３】
また、本発明によれば、請求項３記載の発明に係る光記録再生装置は、請求項１又は２記載の光ヘッドを備えている。従って、この光記録再生装置では、光ヘッド全体の共振が抑制され、トラッキングサーボが安定する。
【発明を実施するための最良の形態】
【００１４】
実施の形態１．
図１は、本発明の実施の形態１に係る光ヘッド１の外観構成を示す一部拡大斜視図、図２は、図１に示す光ヘッド１の外観構成を示す斜視図、図３は、図１に示す光ヘッド１の外観構成を裏側から見た斜視図、図４は、図１に示す光ヘッド１の外観構成を示す分解斜視図である。この例の光ヘッド１は、対物レンズ駆動装置２と、ハウジング３と、カバー４とから概略構成されている。
【００１５】
対物レンズ駆動装置２は、図４に示すように、レンズホルダ１１に接着剤等で対物レンズ１２が固着されており、対物レンズ１２をフォーカス方向及びトラッキング方向に駆動する。レンズホルダ１１の略中央に形成された貫通部１１ａには、磁気回路を構成する永久磁石１３及びヨーク１４が配置されている。また、レンズホルダ１１の貫通部１１ａには、フォーカシング用のコイル１５とトラッキング用のコイル１６とが設けられている。
【００１６】
ハウジング３は、例えば、アルミニウム（Ａｌ）、亜鉛（Ｚｎ）あるいはマグネシウム（Ｍｇ）等の金属や液晶ポリマ（ＬＣＰ）等の合成樹脂などからなる。ハウジング３には、上記対物レンズ駆動装置２の外周形状と略相似形状であって、上記対物レンズ駆動装置２が遊嵌される貫通部３ａが形成されている。対物レンズ駆動装置２は、図５に示すように、ハウジング３の貫通部３ａに遊嵌された状態で、ハウジング３とは、貫通部３ａの上周縁部３ａａの数箇所、貫通部３ａの下周縁部３ａｂ（図３参照）の数箇所において接着剤等（図示略）により固着されている。これにより、ハウジング３は、上記対物レンズ駆動装置２を支持する。
【００１７】
ハウジング３の内部には、図示しないが、レーザダイオードから出射される光ビームの光路を変更して、対物レンズ１２から出射させるとともに、対物レンズ１２から入射された光ビームをフォトダイオード等からなる光検出器の受光面に収束させるためのビームスプリッタ、コリメートレンズ等からなる光学系が設けられている。
【００１８】
また、カバー４は、例えば、ステンレス等の金属や合成樹脂などからなる。カバー４の主たる目的は、対物レンズ駆動装置２の上部周縁部、ハウジング３の上部及び側部を被覆することにより、対物レンズ駆動装置２及びハウジング３のそれぞれの内部に塵埃が入り込むことを防ぐことである。カバー４の厚さは、ステンレス等の金属からなる場合、光記録媒体との距離などを考慮して、例えば、０．１５〜０．２５ｍｍである。カバー４は、ハウジング３に支持された対物レンズ駆動装置２の設置位置に対向した略中央部に開口部４ａが形成されている。
【００１９】
カバー４は、対物レンズ駆動装置２がハウジング３に支持された状態で、開口部４ａから対物レンズ駆動装置２を構成する対物レンズ１２及びヨーク１４の上部１４ａが僅かに露出するように対物レンズ駆動装置２及びハウジング３のそれぞれの上面及びハウジング３の側面（図示略）を被覆している。カバー４は、図示しないが、ハウジング３の上面の数箇所に、ネジ止め、フック又は接着剤により固定されている。また、カバー４は、ハウジング３の側面に対向した垂下部４ｃが平坦部４ｂと一体に形成されており、ハウジング３の側面の数箇所に、ネジ止め、フック又は接着剤により固定されている。
【００２０】
カバー４の開口部４ａには、図１及び図４に示すように、上記対物レンズ駆動装置２を構成するヨーク１４の上部１４ａと近接する位置に、接合部４ａａが形成されている。接合部４ａａは、カバー４の平坦部４ｂとの接続部から開口部４ａの中心に向かって、一旦、カバー４の下面側に鋭角的に折れ曲がった後、カバー４の上面側に鋭角的に折れ曲がっている。接合部４ａａの端部には、所定間隔で略Ｖ字状、略Ｕ字状又は略波形状に加工されている。接合部４ａａは、図１に示すように、接着剤５によりヨーク１４の上角部１４ａｂに接着されている。上記接合部４ａａの端部の加工は、接着剤５の接着強度を高めるために施されている。
【００２１】
接着剤５は、例えば、エポキシ系、シアノアクリレート系、ポリウレタン系、ユリア樹脂系、メラミン樹脂系、フェノール樹脂系、酢酸ビニル樹脂系、合成ゴム系、クロロプレンゴム系溶剤形、合成ゴム系ラテックス形、感圧性、エマルジョン形、ホットメルト形、エラストマー系ホットメルト形、ポリアミド系ホットメルト形などがある。接着剤５の硬さは、例えば、硬度がショアＡ硬度３０〜５０である。接着剤５を接合部４ａａとヨーク１４の上角部１４ａｂに塗布する場合には、接着剤５は、カバー４の平坦部４ｂ上面より上方に盛り上がらないように、接合部４ａａの幅の３分の２以上に塗布する。
【００２２】
図６は、上記構成を有する光ヘッド１のトラッキング方向の開ループにおける位相特性の一例（対策後：実線）と、上記構成を有する光ヘッド１においてカバー４の接合部４ａａとヨーク１４の上角部１４ａｂとを接合しなかった場合のトラッキング方向の開ループにおける位相特性の一例（対策前：破線）とを示す図である。図６から分かるように、光ヘッド１において、カバー４の接合部４ａａとヨーク１４の上角部１４ａｂとを接合した場合には、約６ｋＨｚにおける光ヘッド１全体の共振を抑制することができる。一方、上記構成を有する光ヘッド１のトラッキング方向の開ループにおけるゲイン特性については、カバー４の接合部４ａａとヨーク１４の上角部１４ａｂとを接合した場合と、接合しなかった場合とで異なるところはない。
【００２３】
このように、本発明の実施の形態１においては、カバー４の接合部４ａａとヨーク１４の上角部１４ａｂとを接合することにより、対物レンズ駆動装置２の動きのうち、対物レンズ１２から出射される光ビームの光軸に直交する方向の動きが一部規制される。これにより、対物レンズ駆動装置２の振動がカバー４及びハウジング３に伝達され、トラッキング方向の約６ｋＨｚにおける光ヘッド１全体の共振が抑制され、トラッキングサーボが安定する。
【００２４】
また、本発明の実施の形態１においては、カバー４の接合部４ａａとヨーク１４の上角部１４ａｂとは接着剤５により接合されており、上記した第１の従来例にようなホゾ孔にホゾを圧入する手法を採用していない。従って、光ヘッドを小型化した場合でも、効率的な量産性を阻害することがない。
【００２５】
実施の形態２．
図７は、本発明の実施の形態２に係る光記録再生装置の構成を示す概略図である。この光記録再生装置は、上記した実施の形態１に係る光ヘッド１と、スピンドルモータ３１と、コントローラ３２と、レーザ駆動回路３３と、レンズ駆動回路３４とから概略構成されている。
【００２６】
スピンドルモータ３１は、コントローラ３２の制御の下、光ディスク３５を回転駆動する。コントローラ３２は、光ヘッド１から供給されるフォトディテクタ検出信号に基づいて、スピンドルモータ３１、レーザ駆動回路３３及びレンズ駆動回路３４を制御する。レーザ駆動回路３３は、コントローラ３２の制御の下、光ヘッド１を構成する光源（図示略）であるレーザダイオードを駆動するためのレーザ駆動信号を生成し、光ヘッド１に供給する。レンズ駆動回路３４は、コントローラ３２の制御の下、光ヘッド１を構成する対物レンズ１２（例えば、図１参照）のフォーカシング及びトラッキングを制御するためのレンズ駆動信号を生成し、光ヘッド１に供給する。
【００２７】
コントローラ３２は、フォーカスサーボ追従回路３６と、トラッキングサーボ追従回路３７と、レーザコントロール回路３８とを有している。フォーカスサーボ追従回路３６は、光ヘッド１から供給されるフォトディテクタ検出信号に基づいて、回転している光ディスク３５の情報記録面に光ヘッド１から出射された光ビームのフォーカスをかけるためのフォーカスサーボ信号を生成し、レンズ駆動回路３４に供給する。
【００２８】
トラッキングサーボ追従回路３７は、光ヘッド１から供給されるフォトディテクタ検出信号に基づいて、光ディスク３５の偏芯している信号トラックに対して、光ヘッド１から出射された光ビームのビームスポットを追従させるためのトラッキングサーボ信号を生成し、レンズ駆動回路３４に供給する。レーザコントロール回路３８は、光ヘッド１から供給されるフォトディテクタ検出信号から抽出された光ディスク３５に記録されている記録条件設定情報に基づいて、適切なレーザ駆動信号の生成を行う。
【００２９】
このように、本発明の実施の形態２によれば、上記した実施の形態１に係る光ヘッド１を用いて光記録再生装置を構成している。従って、光記録再生装置は、安価に構成することができる。
【００３０】
実施の形態３．
上述の実施の形態１及び２では、光源が１個だけ設けられている光ヘッドや光ヘッドが１個だけ設けられている光記録再生装置の例を示したが、これに限定されない。本発明は、光源が複数個設けられている光ヘッドや光ヘッドが複数個設けられている光記録再生装置にも適用することができる。このような光ヘッド及び光記録再生装置は、例えば、特開２００４−２９５９８２号公報に開示されている。
【００３１】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。
例えば、上述した各実施の形態では、光記録媒体が円盤状の光ディスクである例を示したが、これに限定されず、光記録媒体は、矩形状であっても良い。
また、上述した各実施の形態では、カバー４の接合部４ａａとヨーク１４の上角部１４ａｂとを接着剤５により接合する例を示したが、これに限定されず、接着テープその他の接合部材を用いても良い。
【図面の簡単な説明】
【００３２】
【図１】本発明の実施の形態１に係る光ヘッドの外観構成を示す一部拡大斜視図である。
【図２】図１に示す光ヘッドの外観構成を示す斜視図である。
【図３】図１に示す光ヘッドの外観構成を裏側から見た斜視図である。
【図４】図１に示す光ヘッドの外観構成を示す分解斜視図である。
【図５】図４に示すハウジングに図４に示す光ヘッドを取り付けた状態を示す斜視図である。
【図６】図１に示す光ヘッドにおいてカバー４の接合部４ａａとヨーク１４の上角部１４ａｂとを接合した場合としなかった場合のそれぞれにおけるトラッキング方向の開ループにおける位相特性の一例を示す図である。
【図７】本発明の実施の形態２に係る光記録再生装置の構成を示す概略図である。
【符号の説明】
【００３３】
１      光ヘッド
２      対物レンズ駆動装置
３      ハウジング
３ａ，１１ａ  貫通部
３ａａ  上周縁部
３ａｂ  下周縁部
４      カバー
４ａ    開口部
４ａａ  接合部
４ｂ    平坦部
４ｃ    垂下部
５      接着剤（接合部材）
１１    レンズホルダ
１２    対物レンズ
１３    永久磁石
１４    ヨーク
１４ａ  上部
１５    フォーカシング用のコイル
１６    トラッキング用のコイル
３１    スピンドルモータ
３２    コントローラ
３３    レーザ駆動回路
３４    レンズ駆動回路
３５    光ディスク
３６    フォーカスサーボ追従回路
３７    トラッキングサーボ追従回路
３８    レーザコントロール回路
【図１】
2007250050.tif 000003
【図２】
2007250050.tif 000004
【図３】
2007250050.tif 000005
【図４】
2007250050.tif 000006
【図５】
2007250050.tif 000007
【図６】
2007250050.tif 000008
【図７】
2007250050.tif 000009